(57)【要約】【課題】  伝送装置からのケーブルの識別が容易で、経済性やスペース効率の点でも有利な光配線システムの提供。【解決手段】  建物２内の複数階３，３，…に第１回線６および第２回線８の光ファイバをコネクタ成端する成端ユニット１１を備える光配線盤１０が設置されており、これらの光配線盤１０には異なる階３の光配線盤１０同士を接続する光ファイバケーブル９が引き込まれており、各光配線盤１０は、前記光ファイバケーブル９の光ファイバを前記成端ユニット１１の第１回線６または第２回線８の光ファイバに対して切替可能に接続する切替用光ファイバを備えている光配線システム１を用いる。【選択図】  図１
2006119343.tif 000002
【特許請求の範囲】
【請求項１】
建物（２）内の複数階に第１回線（６）および第２回線（８）の光ファイバ（１３）をコネクタ成端する成端ユニット（１１）を備える光配線盤（１０）が設置されており、これらの光配線盤には異なる階（３）の光配線盤同士を接続する光ファイバケーブル（９）が引き込まれており、各光配線盤は、前記光ファイバケーブルの光ファイバ（１５）を前記成端ユニットの第１回線または第２回線の光ファイバに対して切替可能に接続する切替用光ファイバ（１７）を備えていることを特徴とする光配線システム（１）。
【請求項２】
前記成端ユニットは、複数の光コネクタアダプタ（１１ａ）が配列されたアダプタ盤であることを特徴とする請求項１に記載の光配線システム。
【請求項３】
前記切替用光ファイバは、多心光ファイバ（１８）の一端が個々の単心光ファイバ（１９）に単心分離されてなるファンアウトコードであり、前記光ファイバケーブルの光ファイバは、前記ファンアウトコードの多心光ファイバ側である他端と接続された多心光ファイバであることを特徴とする請求項１または２に記載の光配線システム。
【請求項４】
前記第１回線は、建物外から建物内に引き込まれて布設された外線側光ファイバケーブル（４）の光ファイバと、光成端架（５）を介して接続されていることを特徴とする請求項１ないし３のいずれかに記載の光配線システム。
【発明の詳細な説明】
【技術分野】
【０００１】
本発明は、建物内の複数階に設置された伝送装置等を光ファイバケーブルを介して接続するための光配線システムに関する。
【背景技術】
【０００２】
図５に示すように、伝送局舎等の建物１０２内における光配線システム１０１では、建物内に設置された伝送装置１０７には所内光ケーブル１０９が接続されており、屋外から屋内に引き込まれた外線光ケーブル１０４は、光成端架１０５を介して前記所内光ケーブル１０９と接続されることがある。
伝送サービスの種類や回線数が増大して、局舎内に伝送装置１０７や光成端架１０５が多数設置されるようになると、伝送装置１０７や光成端架１０５が建物１０２の複数のフロアー１０３に分散して設置されるようになる。このようにフロアー１０３間をまたがるように光配線を行う場合、建物１０２内に連絡用の光配線盤１１０を設置し、光成端架１０５と光配線盤１１０との間に加入者側ケーブル１０６を布設し、伝送装置１０７と光配線盤１１０との間に装置側ケーブル１０８を布設し、加入者側ケーブル１０６と装置側ケーブル１０８とを光配線盤１１０を介して切替接続可能に接続することもある（例えば、特許文献１参照）。
【特許文献１】特開２０００−９９４４号公報
【発明の開示】
【発明が解決しようとする課題】
【０００３】
伝送サービスの種類が比較的少ない場合は、加入者側の光配線を固定しておいて、増設等の必要が生じた時に伝送装置を所定の加入者側の光回線に接続すればよく、この場合、伝送装置側で回線を切替接続できるようにしておいたほうがよい。
しかし、フロアー毎でサービスが多種類ある場合（すなわち伝送装置の数が多い場合）や、装置群で加入エリアを決める場合は、各伝送装置からのケーブルの識別が重要になってくる。加入者側の光配線を固定しているとき、装置側ケーブルの識別のために装置側の光配線も固定すると、光配線盤内にジャンパーを設け、加入者側と装置側とをジャンパー接続によって切替接続する方式になり、経済性やスペース効率の点で不都合である。
【０００４】
本発明は、上記事情に鑑みてなされたものであり、伝送装置からのケーブルの識別が容易で、経済性やスペース効率の点でも有利な光配線システムの提供を課題とする。
【課題を解決するための手段】
【０００５】
前記課題を解決するため、本発明は、建物内の複数階に第１回線および第２回線の光ファイバをコネクタ成端する成端ユニットを備える光配線盤が設置されており、これらの光配線盤には異なる階の光配線盤同士を接続する光ファイバケーブルが引き込まれており、各光配線盤は、前記光ファイバケーブルの光ファイバを前記成端ユニットの第１回線または第２回線の光ファイバに対して切替可能に接続する切替用光ファイバを備えていることを特徴とする光配線システムを提供する。
この光配線システムでは、前記成端ユニットは、複数の光コネクタアダプタが配列されたアダプタ盤であることが好ましい。
切替用光ファイバは、多心光ファイバの一端が個々の単心光ファイバに単心分離されてなるファンアウトコードであり、前記縦系光ファイバケーブルの光ファイバは、ファンアウトコードの多心光ファイバ側である他端と接続された多心光ファイバであることが好ましい。
前記第１回線は、建物外から建物内に引き込まれて布設された外線側光ファイバケーブルの光ファイバと、光成端架を介して接続されていることが好ましい。
【発明の効果】
【０００６】
本発明によれば、伝送装置や光成端架が建物の複数のフロアーに分散して設置される場合に、第２回線（装置側光回線）を成端ユニットで成端することにより装置側光回線の識別が容易となる。また、異なる階（フロアー）に設置された伝送装置および光成端架が光ファイバケーブルを介して連絡されており、前記光ファイバケーブルの光ファイバが切替用光ファイバと接続されているので、成端ユニットに対して切替用光ファイバを切替接続することにより、伝送装置に対して前記光ファイバケーブルの光ファイバを切替接続することが可能となる。従って、ジャンパー接続を省略でき、経済性やスペース効率などの点で有利な光配線システムを構築することができる。
【発明を実施するための最良の形態】
【０００７】
以下、最良の形態に基づき、図面を参照して本発明を説明する。
図１は、本発明の光配線システムの一形態例を示す模式図である。図２は、図１の光配線システムにおける光配線盤の一例を示す概略構成図である。図３は、図２の光配線盤におけるＦＯモジュールの一例を示す（ａ）上面図、（ｂ）正面図、（ｃ）端面図である。図４は、図２の光配線盤におけるアダプタ盤の部分構成例を示す分解斜視図である。
【０００８】
図１に示すように、本形態例の光配線システム１は、建物２の複数の階（フロアー）３，３，…に分散して設置された伝送装置７および光成端架５を備える。図１において、階（フロアー）３，３，…の境界線を二点鎖線により模式的に示す。
屋外から屋内に引き込まれた外線光ケーブル４は、光成端架５によって成端されて加入者側ケーブル６と接続されている。それぞれのフロアー３には、成端ユニット１１を備えた光配線盤１０が設置されている。伝送装置７と光配線盤１０との間には、装置側ケーブル８が布設されている。また、それぞれの光配線盤１０には異なるフロアーの光配線盤１０同士を接続する光ファイバケーブル９（以下、単に「縦系ケーブル」という場合がある。）が引き込まれている。
【０００９】
図２に示すように、光配線盤１０は、フロアー系ケーブル６，８を固定するフロアー系ケーブル固定部１２と、フロアー系ケーブル６，８の光ファイバ１３（以下、フロアー系光ファイバ１３という場合がある。）を成端する成端ユニット１１と、縦系ケーブル９を固定する縦系ケーブル固定部１４と、縦系ケーブル９の光ファイバ１５（以下、縦系光ファイバ１５という場合がある。）を切替用光ファイバ１７と接続する接続ユニット１６とを備える。
ここで、成端とは、光ファイバケーブルの光ファイバの先端に光コネクタを取り付けて、他の光ファイバとのコネクタ接続が可能となるように処置することである。
ここで、フロアー系ケーブル６，８は、第１回線である加入者側ケーブル６と、第２回線である装置側ケーブル８とからなる。
【００１０】
フロアー系ケーブル固定部１２および縦系ケーブル固定部１４は、光配線盤１０の筐体１０ａの下部に設けられており、それぞれの光ファイバケーブル６，８，９は筐体１０ａの下部に設けられたケーブル導入口（図示略）を通して筐体１０ａ内に引き込まれている。縦系ケーブル固定部１４および接続ユニット１６は、筐体１０ａの正面より向かって左側に設置されており、フロアー系ケーブル固定部１２および接続ユニット１６は、筐体１０ａの正面より向かって右側に設置されている。これにより、筐体内で、縦系光ファイバ１５が配線される領域１０ｂと、フロアー系光ファイバ１３が配線される領域１０ｃとが区分けされ、両光ファイバ１３，１５を筐体１０ａ内に整然と配線することができる。
【００１１】
図２に示すように、接続ユニット１６は、多段に配列された複数の接続モジュール２０を備える。図３に示すように、接続モジュール２０は、プラスチック等からなるケース２１の前面２１ａの下部に光コネクタアダプタ２２を備えた構成をとっている。
切替用光ファイバ１７は、多心光ファイバ１８の一端が個々の単心光ファイバ１９，１９，…に単心分離されてなるファンアウトコードであり、多心光ファイバ１８の先端には、光コネクタアダプタ２２に接続された多心光コネクタプラグ（図示略）が取り付けられているとともに、各単心光ファイバ１９の先端には、単心光コネクタプラグ１９ａが取り付けられている。ファンアウトコード１７の多心光ファイバ１８はケース２１の内側に収納されており、単心光ファイバ１９に分離された部分はケース２１の外側に引き出されている。
【００１２】
図３（ｂ），（ｃ）に示すように、光コネクタアダプタ２２は、ファンアウトコード１７の多心光コネクタプラグと、縦系光ファイバ１５の先端に組み立てられた多心光コネクタプラグ１５ａとを接続する多心光コネクタアダプタである。ここで、多心光コネクタプラグとしては、例えばＪＩＳ  Ｃ  ５９８１等に規定されるＭＴ形光コネクタなどを用いることができる。
図３に示す接続モジュール２０の場合、光コネクタアダプタ２２は、２対のＭＴ形光コネクタプラグを接続することが可能である。
【００１３】
接続モジュール２０には、識別タグ２３を設けることができる。識別タグ２３としては、例えばＱＲコード等の二次元コードを用いることができる。この例における接続モジュール２０では、ケース２１の前面２１ａ側に引き出し自在に設けられたスライド棒２４の先端面２４ａに設けられている。スライド棒２４は、ケース２１の前面２１ａからの突出量が可変に設けられている。このため、スライド棒２４をケース２１の手前側（図３（ｂ）の右側）に引き出すことにより、コードリーダ等の読み取り装置による識別タグ２３の読み取りが容易になる。読み取り後には、スライド棒２４をケース２１の中に差し込むことができる。
【００１４】
図２，図４に示すように、成端ユニット１１は、複数の光コネクタアダプタ１１ａが例えば固定部材１１ｃ（ねじ）によって支持パネル１１ｂに取り付けられた構成を有するアダプタ盤である。このアダプタ盤１１において支持パネル１１ｂは、上下方向に多段に配列されている。また、光コネクタアダプタ１１ａは、それぞれの支持パネル１１ｂに対して左右方向に多数配列されている。
光コネクタアダプタ１１ａは、フロアー系光ファイバ１３の先端に組み立てられた単心光コネクタプラグ１３ａと、前記切替用光ファイバ１７の単心光コネクタプラグ１９ａとを向かい合わせに光接続する。あらかじめフロアー系光ファイバ１３の単心光コネクタプラグ１３ａを所定の光コネクタアダプタ１１ａに挿入嵌合しておけば、フロアー系光ファイバ１３と切替用光ファイバ１７との光接続は、単に切替用光ファイバ１７を任意の光コネクタアダプタ１１ａに挿入嵌合することによって達成される。すなわち、フロアー系光ファイバ１３の単心光コネクタプラグ１３ａを所定の光コネクタアダプタ１１ａに挿入嵌合しておくことにより、成端ユニット１１（詳しくは個々の光コネクタアダプタ１１ａ）によるフロアー系ケーブル６，８（詳しくはフロアー系光ファイバ１３）の成端が達成される。
この結果、切替用光ファイバ１７を介して縦系光ファイバ１５をフロアー系光ファイバ１３に対して切替可能に接続することができる。
回線の識別のため、成端ユニット１１にはＱＲコード等の識別タグ（図示略）を、必要に応じて設けることができる。
【００１５】
次に、本形態例の光配線システム１の使用形態について説明する。
例えばサービスが多種類ある場合や、装置群で加入エリアを決める場合は、複数の伝送装置７，７，…を建物２の複数のフロアー３，３，…に分散して設置し、各装置側ケーブル８を同じフロアー３に設置された光配線盤１０に引き込んで成端ユニット１１に成端する。装置側ケーブル８の成端は、装置側光回線を構成する各光ファイバの先端の光コネクタプラグをアダプタ盤１１の所定の光コネクタアダプタに挿入することによりなされる。これにより、各装置側光回線の識別が可能となる。
また、屋外から屋内に引き込まれた外線光ケーブル４は、光成端架５を介して加入者側ケーブル６と接続される。加入者側ケーブル６の各光ファイバの先端の光コネクタプラグは、アダプタ盤１１の所定の光コネクタアダプタに挿入される。これにより、アダプタ盤１１上で加入者側光回線の識別が可能となる。
【００１６】
所望の加入者側光回線を所望の伝送装置７と接続する場合には、縦系光ファイバ１５と接続された切替用光ファイバ１７を切替接続することにより、加入者側光回線と伝送装置７とを接続することができる。縦系光ファイバ１５は、異なるフロアーの光配線盤１０同士を接続しているので、接続しようとする加入者側光回線および伝送装置７が異なるフロアーに設けられていても、第１回線（加入者側光回線）と第２回線（伝送装置側回線）との接続を自由な組み合わせで実現することが可能となる。
【００１７】
以上説明したように、本形態例の光配線システムによれば、伝送装置７や光成端架５が建物２の複数のフロアー３，３，…に分散して設置される場合に、装置側ケーブル６の光ファイバを成端ユニット１１で成端することにより装置側ケーブルの回線の識別が容易となる。また、異なるフロアー３，３に設置された伝送装置７および光成端架５が縦系ケーブル９を介して連絡され、縦系ケーブル９の光ファイバ１５が切替用光ファイバ１７とコネクタ接続されているので、成端ユニット１１に対して切替用光ファイバ１７を切替接続することにより、加入者側および装置側の光ファイバに対して縦系ファイバ１５を切替接続することが可能となる。従って、ジャンパー接続を省略でき、経済性やスペース効率などの点で有利な光配線システムを構築することができる。
【産業上の利用可能性】
【００１８】
本発明は、建物内の複数階に伝送装置を設置して、装置側光回線と外線側光回線とを切替可能に接続する光配線システムに利用することができる。
【図面の簡単な説明】
【００１９】
【図１】本発明の光配線システムの一形態例を示す模式図である。
【図２】図１の光配線システムにおける光配線盤の一例を示す概略構成図である。
【図３】図２の光配線盤におけるＦＯモジュールの一例を示す（ａ）上面図、（ｂ）正面図、（ｃ）端面図である。
【図４】図２の光配線盤におけるアダプタ盤の部分構成例を示す分解斜視図である。
【図５】従来の光配線システムの一例を示す概略模式図である。
【符号の説明】
【００２０】
１…光配線システム、２…建物、３…階（フロアー）、４…外線側光ファイバケーブル（外線ケーブル）、５…光成端架、６…第１回線（加入者側回線、加入者側ケーブル）、８…第２回線（伝送装置側回線、装置側ケーブル）、９…光ファイバケーブル（縦系ケーブル）、１０…光配線盤、１１…成端ユニット（アダプタ盤）、１１ａ…光コネクタアダプタ、１３…光ファイバ（フロアー系光ファイバ）、１５…光ファイバ（縦系光ファイバ）、１７…切替用光ファイバ（ファンアウトコード）、１８…多心光ファイバ、１９…単心光ファイバ。
【図１】
2006119343.tif 000003
【図２】
2006119343.tif 000004
【図３】
2006119343.tif 000005
【図４】
2006119343.tif 000006
【図５】
2006119343.tif 000007